(57)【特許請求の範囲】
【請求項１】
足場支柱の間にＸ字状に配設され下側両端部に前記足場支柱に設けられた下側くさび受けに対して取り外し可能に係着される下側連結部を有する２つの斜材と、前記斜材の上側両端部に軸着され前記足場支柱に設けられた上側くさび受けに対して取り外し可能に係着される上側連結部を有する水平材とからなる仮設足場用筋交いにおいて、
前記水平材の上側連結部には前記上側くさび受けに係着しかつ水平方向に溝部が形成された上側くさび部材を備え、前記上側くさび部材は前記水平材の端部の固定ピンに対して水平方向の第一位置と第二位置を移動可能に取り付けられているとともに、
前記斜材の上端は円弧状端縁部として形成されていて、前記上側くさび部材が前記溝部に沿って第一位置と第二位置を横移動した際に前記円弧状端部が前記固定ピンに対して位置を回動して当接するように構成され、かつ、
前記斜材の下側連結部には前記上側くさび部材の第一位置と第二位置の移動に対応して、斜材に対して第一位置と第二位置を移動可能な下側可動部材が取り付けられ、該下側可動部材に前記下側くさび受けに係着する下側くさび部材が配設されている
ことを特徴とする仮設足場用筋交い。
【請求項２】
前記下側連結部の下側可動部材が前記斜材の下端部に形成された下溝部に係着して移動する支持ピン部を備えた請求項１に記載の仮設足場用筋交い。
【請求項３】
前記水平材の端部が前記上側くさび部材を上下から挟持するくさび部材上保持部及びくさび部材下保持部を備える請求項１または２に記載の仮設足場用筋交い。
【発明の詳細な説明】
【技術分野】
【０００１】
本発明は、仮設足場用筋交いに関する。
【背景技術】
【０００２】
建築物等の工事等に際し、建築物の外周に仮設足場が設置される。この場合、まず複数本の支柱が所定間隔で配置される。各支柱間に足場板が架設されて一の階層の足場が形成される。そして、上方に支柱が順次継ぎ足され同様に足場板は架設されて複数階層の足場が形成される。このような仮設足場の架設作業にあっては、上方への足場の継ぎ足し作業の安全対策として、足場板を架設させる前に、斜材、水平材、または垂直材等の足場材を手すりとして先行して配置される。
【０００３】
足場材を配置する場合、仮設足場用筋交いが足場支柱のくさび受け（ホルダー）に対して取り外し可能に係着される。一般的な足場支柱の場合、図１２に示すように、当該支柱の周囲に９０°ずつ４箇所配置される（例えば特許文献１の図面等参照）。具体的には、下側くさび受け２は２ａ，２ｂ，２ｃ，２ｄから構成され、上側くさび受け３は３ａ，３ｂ，３ｃ，３ｄから構成される。上下のくさび受けは同形状である。図１２に開示のくさび受けに斜材、水平材等を係着させる場合、斜材、水平材等は２本の足場支柱間で対向するくさび受け同士（例えば３ａと３ｃの間）に係着される（特許文献１参照）。あるいは、斜材、水平材等は対向位置にあるくさび受けの左右いずれかのくさび受け同士（例えば２ｂと２ｂの間）に係着される（例えば、特許文献２、３、４等参照）。
【０００４】
足場支柱間に架設される斜材、水平材等においては、足場支柱のくさび受けに対して強固かつ簡便な係着のための改良が進められてきた（同特許文献２、３、４等参照）。しかしながら、斜材、水平材等と、これを受け入れるくさび受けの対応関係は固定化されているのが現実である。このため、仮設足場を施工する建築物の構造、現場における作業性等を勘案して、斜材、水平材等の係着に用いるくさび受けを柔軟に選択したいとの要望がある。また、現状、使用するくさび受けの位置に応じて斜材や水平材等の資材を調達しているため煩雑である。
【０００５】
そこで、仮設足場用筋交いに備えられる斜材や水平材の側で足場支柱のくさび受けの取り付け位置の選択を可能とし、建築物の構造や現場作業に柔軟に対応可能な筋交いの構成が望まれるに至った。
【先行技術文献】
【特許文献】
【０００６】
【特許文献１】特開２００８−２６１１５０号公報
【特許文献２】特開２００８−６３９０３号公報
【特許文献３】特開２００８−７５３０５号公報
【特許文献４】特開２００８−２１４９９４号公報
【発明の概要】
【発明が解決しようとする課題】
【０００７】
本発明は前記の点に鑑みなされたものであり、斜材や水平材の側で足場支柱のくさび受けの選択を可能とする構成を備え、足場支柱のくさび受け選択の自由度を高め、建築物の構造や現場作業に柔軟に対応することができる仮設足場用筋交いを提供するものである。
【課題を解決するための手段】
【０００８】
すなわち、請求項１の発明は、足場支柱の間にＸ字状に配設され下側両端部に前記足場支柱に設けられた下側くさび受けに対して取り外し可能に係着される下側連結部を有する２つの斜材と、前記斜材の上側両端部に軸着され前記足場支柱に設けられた上側くさび受けに対して取り外し可能に係着される上側連結部を有する水平材とからなる仮設足場用筋交いにおいて、前記水平材の上側連結部には前記上側くさび受けに係着しかつ水平方向に溝部が形成された上側くさび部材を備え、前記上側くさび部材は前記水平材の端部の固定ピンに対して水平方向の第一位置と第二位置を移動可能に取り付けられているとともに、前記斜材の上端は円弧状端縁部として形成されていて、前記上側くさび部材が前記溝部に沿って第一位置と第二位置を横移動した際に前記円弧状端部が前記固定ピンに対して位置を回動して当接するように構成され、かつ、前記斜材の下側連結部には前記上側くさび部材の第一位置と第二位置の移動に対応して、斜材に対して第一位置と第二位置を移動可能な下側可動部材が取り付けられ、該下側可動部材に前記下側くさび受けに係着する下側くさび部材が配設されていることを特徴とする仮設足場用筋交いに係る。
【０００９】
請求項２の発明は、前記下側連結部の下側可動部材が前記斜材の下端部に形成された下溝部に係着して移動する支持ピン部を備えた請求項１に記載の仮設足場用筋交いに係る。
【００１０】
請求項３の発明は、前記水平材の端部が前記上側くさび部材を上下から挟持するくさび部材上保持部及びくさび部材下保持部を備える請求項１または２に記載の仮設足場用筋交いに係る。
【発明の効果】
【００１１】
請求項１の発明に係る仮設足場用筋交いによると、足場支柱の間にＸ字状に配設され下側両端部に前記足場支柱に設けられた下側くさび受けに対して取り外し可能に係着される下側連結部を有する２つの斜材と、前記斜材の上側両端部に軸着され前記足場支柱に設けられた上側くさび受けに対して取り外し可能に係着される上側連結部を有する水平材とからなる仮設足場用筋交いにおいて、前記水平材の上側連結部には前記上側くさび受けに係着しかつ水平方向に溝部が形成された上側くさび部材を備え、前記上側くさび部材は前記水平材の端部の固定ピンに対して水平方向の第一位置と第二位置を移動可能に取り付けられているとともに、前記斜材の上端は円弧状端縁部として形成されていて、前記上側くさび部材が前記溝部に沿って第一位置と第二位置を横移動した際に前記円弧状端部が前記固定ピンに対して位置を回動して当接するように構成され、かつ、前記斜材の下側連結部には前記上側くさび部材の第一位置と第二位置の移動に対応して、斜材に対して第一位置と第二位置を移動可能な下側可動部材が取り付けられ、該下側可動部材に前記下側くさび受けに係着する下側くさび部材が配設されているため、斜材や水平材の側で足場支柱のくさび受けの選択を可能とする構成を備え、足場支柱のくさび受け選択の自由度を高め、建築物の構造や現場作業に柔軟に対応することができる。また、仮設足場用筋交い自体が足場支柱のくさび受けの位置に対応できるため、個々の足場支柱のくさび受けの位置に合わせて資材を用意することなく、資材量の抑制も可能となる。
【００１２】
請求項２の発明に係る仮設足場用筋交いによると、請求項１において、前記下側連結部の下側可動部材が前記斜材の下端部に形成された下溝部に係着して移動する支持ピン部を備えたため、比較的単純な構造により、斜材に生じる位置ずれに容易に対応することができるができる。
【００１３】
請求項３の発明に係る仮設足場用筋交いによると、請求項１または２において、前記水平材の端部が前記上側くさび部材を上下から挟持するくさび部材上保持部及びくさび部材下保持部を備えるため、上側くさび部材と水平材は水平方向のみの移動に規制される。このため、上側くさび部材と水平材との保持性能は良くなり、上側くさび部材の第一位置と第二位置の移動が円滑となり仮設足場用筋交いの取り扱いの利便性が高まる。
【図面の簡単な説明】
【００１４】
【図１】本発明の一実施例に係る仮設足場用筋交いの正面図である。
【図２】上側連結部付近の主要上面図である。
【図３】上側連結部の主要部分解斜視図である。
【図４】上側くさび部材の第一位置を示す正面図である。
【図５】上側くさび部材の第二位置を示す正面図である。
【図６】下側可動部材の第一位置を示す正面図である。
【図７】下側可動部材の第二位置を示す正面図である。
【図８】下側連結部付近の主要上面図である。
【図９】他の例に係る下側連結部の主要部正面図である。
【図１０】他の実施例に係る上側連結部の主要部分解斜視図である。
【図１１】図１０の上側連結部の主要部縦断面図である。
【図１２】足場支柱の斜視図である。
【発明を実施するための形態】
【００１５】
実施例の仮設足場用筋交い１０は、図１に示すように、足場支柱１，１の間に架設される２本の斜材１２，１２と水平材１１を有してなる。斜材１２，１２は足場支柱１，１の間に交差してＸ字状に配設される。両方の斜材１２の下端部１６には下側連結部２０がそれぞれ備えられる。足場支柱１に設けられた下側くさび受け２に対して下側連結部２０は取り外し可能に係着される。また、両方の斜材１２，１２の上端１４には水平材１１が軸着され、この水平材１１の両端に、足場支柱１に設けられた上側くさび受け３に対して取り外し可能に係着される上側連結部４０が備えられる。
【００１６】
足場支柱１における下側くさび受け２（２ａ，２ｂ，２ｃ，２ｄ）及び上側くさび受け３（３ａ，３ｂ，３ｃ，３ｄ）の配置、構造は、背景技術にて開示した図１２の足場支柱１におけるくさび受けの構造と同様である。また、上側くさび受けと下側くさび受けは同形状である。本明細書においては説明の便宜上、足場支柱のくさび受けを上下で区別している。
【００１７】
実施例の上側連結部４０の構造について、図２及び図３を用いて説明する。図２は上側連結部４０付近の主要上面図から把握されるように、上側連結部４０は、紙面下方から斜材１２、水平材１１、上側くさび部材５０、及び補助板部材６０の順に配置される。そして、軸支ピン４５が前記の４種類の部材を貫通しており、それぞれの部材は摺動自在に重ね合わせられる。また、固定ピン４１が上側くさび部材５０及び補助板部材６０に挿通される。
【００１８】
続いて示す図３は上側連結部４０の主要分解斜視図である。斜材１２に軸支穴１７が形成され、水平材１１にその長手方向に長穴となる軸支溝穴４３が形成され、上側くさび部材５０に軸支穴５５が形成され、補助板部材６０にその長手方向に長穴となる軸支溝穴６５が形成される。そこで、前記の軸支穴１７、軸支溝穴４３、軸支穴５５、軸支溝穴６５に軸支ピン４５が貫通される。図示の各穴の形状から把握されるように、斜材１２及び上側くさび部材５０は回動のみである。これに対し、水平材１１及び補助板部材６０は回動に加えて横移動（水平材の長手方向への移動）も可能である。
【００１９】
水平材１１に備えられる上側連結部４０において、上側くさび部材５０には、上側くさび受け３に係着しかつ水平方向に長穴となる溝部５１が形成される。この溝部５１と補助板部材６０の固定ピン穴６１に固定ピン４１が挿通される。同様に図示の両穴の形状から把握されるように、補助板部材６０は上側くさび部材５０に対して水平方向に長穴形状の分だけ移動可能である。
【００２０】
上側くさび部材５０は水平材１１の端部４２の固定ピン４１に対して水平方向の第一位置と第二位置（ともに後出）を移動可能となるように取り付けられる。上側くさび部材５０には上短脚部５２及び上長脚部５３が備えられ、両脚部５２，５３の間に上脚間部５４が形成される。そこで、上側くさび受け３に上短脚部５２及び上長脚部５３が差し込まれることにより、上側くさび受け３は上脚間部５４により挟持され、上側くさび受け３と上側連結部４０は係着される。上長脚部５３の先端には鉤部５６が形成される。鉤部５６は、上側くさび受け３と上側くさび部材５０との固定性（引っかかり具合）を向上させるためである（図４及び図５参照）。
【００２１】
斜材１２の上端１４は円弧状端縁部１５として形成されている。そのため、上側くさび部材５０が溝部５１に沿って第一位置と第二位置（ともに後出）の間を横移動（水平材の長手方向への移動）した際、斜材１２は固定ピン４１に対して円弧状端縁部１５の位置を回動させながら当接可能な構成となる。これは、斜材１２と水平材１１が成す角度を変化させる際、固定ピン４１に斜材１２の円弧状端縁部１５がほぼ常に当接することにより、斜材１２と水平材１１との角度変形を安定化させることができる。
【００２２】
実施例の上側連結部４０では補助板部材６０も備えられる。補助板部材６０は規制片部６２を有する。斜材１２は軸支ピン４５により上側くさび部材５０及び水平材１１と回動自在に軸着されている。このため、仮に規制片部６２がない場合、斜材１２は不用意に回動し易くなる。すると、上側連結部４０を上側くさび受け３（３ａ，３ｂ，３ｃ，３ｄ）に係着する際の取り扱いが煩雑になりやすい。そこで、補助板部材６０とともに規制片部６２が備えられる。前掲の図２から把握されるように、規制片部６２は斜材１２の上部に被さる位置関係となる。斜材１２は規制片部６２の抵抗を受けるため、必要以上に斜材１２が持ち上がるような回動は抑制される。
【００２３】
図４及び図５の主要部正面図を用い上側連結部４０の上側くさび部材５０における第一位置と第二位置の関係を説明する。図４は、上側連結部４０を足場支柱１，１間で対向するくさび受けの側方に配置されたくさび受けに係着した状態を示す。具体的には、水平材１１の両端の上側連結部４０，４０が足場支柱１，１の上側くさび受け３ｂと３ｂ（図１２参照）に係着された状態である。
【００２４】
上側くさび受け３ｂ，３ｂ間の係着の場合、水平材１１の両端に配された上側連結部４０の上側くさび部材５０同士の間隔を所定量伸ばす必要がある。そこで、実施例の上側連結部４０にあっては、前述のとおり水平材１１の両端部４２に長手方向に長穴となる軸支溝穴４３が形成されている。このため、上側くさび部材５０と斜材１２は軸支ピン４５の軸支により回動のみ許容されるものの、上側くさび部材５０と水平材１１については水平方向の位置移動が容易となる。斜材１２については足場支柱１に対する角度が変化するともに、後述する下側連結部２０においても位置調整が行われる。当該図４の上側くさび部材５０と水平材１１の位置関係が第一位置である。実施例において、第一位置を構成しているときの斜材と足場支柱の成す角度は６０．５°である。
【００２５】
図５は上側連結部４０を足場支柱１，１間で対向するくさび受けに係着した状態を示す。具体的には、水平材１１の両端の上側連結部４０，４０が足場支柱１，１の上側くさび受け３ｃと３ａ（図１２参照）に係着される。上側くさび受け３ｃ，３ａ間の係着の場合、水平材１１の両端に配された上側連結部４０の上側くさび部材５０，５０同士の間隔は、前記の第一位置のときよりも所定量縮められる。そこで、実施例の上側連結部４０にあっては、図５でも水平材１１の両端部４２に形成された軸支溝穴４３のため、上側くさび部材５０と水平材１１については水平方向の位置移動が容易となる。斜材１２については足場支柱１に対する角度が変化するともに、後述する下側連結部２０においても位置調整が行われる。当該図５の上側くさび部材５０と水平材１１の位置関係が第二位置である。実施例において、第二位置を構成しているときの斜材と足場支柱の成す角度は５９．５°である。
【００２６】
続いて図６ないし図８を用い、下側連結部の構造及び下側連結部と足場支柱の下側くさび受け２との係着の位置関係を説明する。斜材１２の下側連結部２０には、上側くさび部材５０の第一位置（図４）と第二位置（図５）の移動に対応して、斜材１２に対して第一位置（図６）と第二位置（図７）を移動可能な下側可動部材３０が取り付けられる。そして、下側可動部材３０には下側くさび受けに係着する下側くさび部材２５が配設されている。
【００２７】
下側連結部２０は、２枚の本体板部２１，２２を梁部２４（板連結部）により連結している（特に図８参照）。そして、梁部２４の直上に下側くさび部材２５が載置される。下側くさび部材２５には下長脚部２６、下短脚部２７が備えられ、両脚部２６，２７の間に下脚間部２８が形成される。下長脚部２６の先端に適宜の抜け止め部２９も備えられる。
【００２８】
図６及び図７の下側連結部２０の主要部正面図からよくわかるように、下側くさび受け２と下側連結部２０の梁部２４は当接しており、ここに下側くさび部材２５が押下される。下側くさび受け２と梁部２４は下側くさび部材２５により挟持され、下側連結部２０と下側くさび受けの係着は完了する。本体板部２１，２２の中央には、同本体板部を貫通するくさび保持部２３が備えられる。くさび保持部２３に下側くさび部材２５の下長脚部２６は接触するため、下側連結部２０と下側くさび受け２との係着の際、本体板部２１，２２内に介挿された下側くさび部材２５の不用意な位置ずれ等が抑制されることにより下側くさび部材２５の固定性が増す。
【００２９】
下側連結部２０の下側可動部材３０において梁部２４と逆側には支持ピン部３２が本体板部２１，２２を貫通して備えられる（図８参照）。支持ピン部３２は斜材１２の下端部１６に形成された下溝部３１に係着している。斜材１２の下溝部３１は支持ピン部３２を通じて移動可能となる。実施例の下側可動部材３０の下溝部３１は正面視コ字状に斜材１２を貫通する溝穴として形成されている。そして、支持ピン部３２と当接して同支持ピン部との引っかかりを良くするため、下溝部３１に前進溝穴３５及び後退溝穴３６が穿設される（図６、図７参照）。
【００３０】
ここで、図６は斜材１２の下端部１６に備えられた下側連結部２０と、足場支柱１，１間で対向するくさび受けの側方に配置されたくさび受けとの係着状態を示す。図示の状態では足場支柱１の下側くさび受け２ｂと２ｂ（図１２参照）に斜材の両端の下側連結部２０，２０が係着される。
【００３１】
図６における下側くさび受け２の選択は、前出の図４にて図示した上側連結部４０（上側くさび部材５０）の第一位置に対応する。図６の場合、既に図４にて説明のとおり上側連結部４０（上側くさび部材５０）が第一位置であることから、斜材１２は足場支柱１，１間の対角線方向上で伸ばした配置となる。この場合、下溝部３１に沿って支持ピン部３２は移動して、斜材１２を最も長くすることができる位置が選択される。そこで、支持ピン部３２が下溝部３１の端の前進溝穴３５に当設される。これに応じて斜材１２と下側くさび部材２５との位置関係も規定される。よって、図６は上側くさび部材５０の第一位置に対応する斜材１２についての第一位置の位置関係を示す。
【００３２】
続く図７における下側くさび受け２の選択は、前出の図５にて図示した上側連結部４０（上側くさび部材５０）の第二位置に対応する。図７の場合、既に図５にて説明のとおり上側連結部４０（上側くさび部材５０）が第二位置であることから、斜材１２は足場支柱１，１間の対角線方向上で縮めた配置となる。この場合、下溝部３１に沿って支持ピン部３２は移動して、斜材１２を最も短くすることができる位置が選択される。そこで、支持ピン部３２が下溝部３１の端の後退溝穴３６に当設される。これに応じて斜材１２と下側くさび部材２５との位置関係も規定される。よって、図７は上側くさび部材５０の第二位置に対応する斜材１２についての第二位置の位置関係を示す。
【００３３】
図９は他の実施例に係る下側連結部２０の下側可動部材３０Ａの主要部正面図である。同図示では、斜材１２の下端部１６に複数箇所（図示では２箇所）の保持貫通穴３９が設けられる。図９では斜材１２についての第二位置となるため、斜材１２を最も短くする必要がある。そこで、保持貫通穴３９のうちから後退貫通穴３１ａが選択され、ここに貫通支持ピン３２ａが挿通され、本体板部２１，２２と固定される。後退貫通穴３１ａは貫通支持ピン３２ａと回動可能である。
【００３４】
図示しないが下側可動部材３０Ａについて図６の下側くさび受け２を選択した場合にあっては、前進貫通穴３１ｂが選択され、ここに貫通支持ピン３２ｂが挿通され、本体板部２１，２２と固定される。貫通支持ピンは随時着脱されるため、主にボルトとナットの組み合わせから形成される。
【００３５】
さらに、図１０及び図１１を用い、上側連結部における他の実施例を開示する。図１０は他の実施例に係る上側連結部４０Ｘに関する主要部分解斜視図である。この実施例は、上側くさび部材と水平材の保持性能をより向上させた構成となる。水平材１１ｘの端部４２の末端には上顎部４４と下顎部４６が備えられ、上顎部４４と下顎部４６により正面視コ字状となる顎開口部４９が形成される。そこで、固定ピン４１は顎開口部４９内に収容される。
【００３６】
実施例の水平材１１ｘの端部４２付近には、水平材の上下で対となるくさび部材上保持部４７及びくさび部材下保持部４８が備えられる。くさび部材上保持部４７は上側くさび部材５０の上辺部５７に対し上側から被さり、くさび部材下保持部４８は上側くさび部材５０の下辺部５８に対し下側から被さる。図１１の上側連結部４０Ｘの主要部縦断面図から把握されるように、くさび部材上保持部４７とくさび部材下保持部４８を有する水平材１１ｘは、その側面視断面図でもコ字状を成している。この実施例の上側くさび部材５０は、水平材１１ｘによりその上下方向から挟持される。
【００３７】
既述のとおり、上側くさび部材と水平材は水平方向に第一位置と第二位置で移動する。特に図示の上側連結部４０Ｘにおける水平材１１ｘの構造によると、上側くさび部材５０と水平材１１ｘにおいて、上下方向や回動方向の移動、がたつき等は抑制され、水平方向のみに双方の移動は規制される。このため、上側くさび部材と水平材との保持性能は良くなり、上側くさび部材の第一位置と第二位置の移動が円滑となることにより仮設足場用筋交いの取り扱いの利便性が高まる。
【００３８】
これまでに図示し説明してきたように、本実施例の仮設足場用筋交いは、水平材が上側くさび部材に対して水平方向に適度に移動可能としたことにより、係着に用いる上側くさび受けの位置の相違に起因して水平材に生じる位置ずれを容易に解消することができる。加えて、下側連結部の下側可動部材の構造から把握されるように、斜材自体に下溝部あるいは保持貫通穴が形成され、斜材の伸縮性が担保されたことにより、係着に用いる下側くさび受けの位置の相違に起因して斜材に生じる位置ずれに容易に対応することができる。
【００３９】
とりわけ、下溝部と支持ピン部を採用し、比較的単純な構造によりとすることにより、斜材に生じる位置ずれに容易に対応することができるができる。また、仮設足場用筋交い自体が足場支柱のくさび受けの位置に柔軟に対応できるため、足場支柱のくさび受け選択の自由度を高め、建築物の構造や現場作業に柔軟に対応することができ、さらには、個々の足場支柱のくさび受けの位置に合わせた資材を逐次用意することなくなり、資材量の抑制も可能となる。
【符号の説明】
【００４０】
１  足場支柱
２（２ａ，２ｂ，２ｃ，２ｄ）  下側くさび受け
３（３ａ，３ｂ，３ｃ，３ｄ）  上側くさび受け
１０  仮設足場用筋交い
１１，１１ｘ  水平材
１２  斜材
１４  斜材の上端
１５  円弧状端縁部
１６  下端部
２０  下側連結部
２１，２２  本体板部
２３  くさび保持部
２４  梁部（板連結部）
２５  下側くさび部材
２６  下長脚部
２７  下短脚部
３０  下側可動部材
３１  下溝部
３２  支持ピン部
３５  前進溝穴
３６  後退溝穴
４０，４０Ｘ  上側連結部
４１  固定ピン
４２  端部
４５  軸支ピン
４７  くさび部材上保持部
４８  くさび部材下保持部
５０  上側くさび部材
５１  溝部
５２  上短脚部
５３  上長脚部
５７  上辺部
５８  下辺部
６０  補助板部材
６２  規制片部
【図１】
0005698934.tif 000002
【図２】
0005698934.tif 000003
【図３】
0005698934.tif 000004
【図４】
0005698934.tif 000005
【図５】
0005698934.tif 000006
【図６】
0005698934.tif 000007
【図７】
0005698934.tif 000008
【図８】
0005698934.tif 000009
【図９】
0005698934.tif 000010
【図１０】
0005698934.tif 000011
【図１１】
0005698934.tif 000012
【図１２】
0005698934.tif 000013